(57)【要約】【課題】開閉力の調整に関し、明確にスプリングの圧縮率を外部からの目視により確認できるとともに、スプリングの圧縮率が誤操作等によって変更されにくいドアクローザを提供する。【解決手段】ドアクローザＣは、回転軸１７と、扉４が開く時に前記回転軸１７の回転に対して抵抗するスプリング２８と、を備えた扉４に取り付けられるクローザ本体２０と、前記扉４の開閉に伴って前記回転軸１７を回転させるリンク機構と、を具備するドアクローザＣにおいて、前記回転軸１７の回転に対する前記スプリング２８の抵抗力を調整する調整ネジ部３０と、前記調整ネジ部３０と直交する位置に配置されている操作軸５５を備えた操作機構部と、前記操作軸５５の回転に応じて前記調整ネジ部３０を回転させるように前記操作軸５５と前記調整ネジ部３０とを連結するための連結機構部と、前記操作軸５５はその軸線方向に移動可能であって、当該操作軸５５の移動により、前記操作軸５５と前記調整ネジ部３０との連結、及び当該連結を解除可能である。【選択図】図６
2008274583.tif 000002
【特許請求の範囲】
【請求項１】
回転軸と、前記回転軸の回転に対して抵抗するスプリングと、を備えた扉に取り付けられるクローザ本体と、前記扉の開閉に伴って前記回転軸を回転させるリンク機構と、を具備するドアクローザにおいて、
前記回転軸の回転に対する前記スプリングの抵抗力を調整する調整ネジ部と、
前記調整ネジ部と直交する位置に配置されている操作軸を備えた操作機構部と、
前記操作軸の回転に応じて前記調整ネジ部を回転させるように前記操作軸と前記調整ネジ部とを連結するための連結機構部と、
前記操作軸はその軸線方向に移動可能であって、当該操作軸の移動により、前記操作軸と前記調整ネジ部との連結、及び当該連結を解除可能であることを特徴とするドアクローザ。
【請求項２】
前記操作軸の回転と連動させて前記スプリングの抵抗力を示す値を表示させる表示手段を更に備えていることを特徴とする請求項１に記載のドアクローザ。
【請求項３】
前記操作軸と前記調整ネジ部との連結が解除されている場合において、前記操作軸は固定されていることを特徴とする請求項２に記載のドアクローザ。
【請求項４】
前記連結機構部は、一対の歯車で構成されていることを特徴とする請求項１乃至３のいずれか一項に記載のドアクローザ。
【発明の詳細な説明】
【技術分野】
【０００１】
本願は、ドアクローザに関し、特に、扉の開閉力を表示する装置を備えたコンシールドドアクローザの技術分野に関する。
【背景技術】
【０００２】
建物の玄関等に取り付けられる扉には、通常、ドアクローザが取り付けられている。このドアクローザには様々な構造のものが知られているが、一般に知られているドアクローザは、扉を開く際に反発力を生じさせるスプリングと、このスプリングの反発力に抵抗して扉の閉じる速度を調整する制御機構と、を含んで構成されている。
【０００３】
そして、ドアクローザは、当該スプリングの圧縮率を調整することで扉の開閉力を調整することができるが、一般には、適当にスプリングの圧縮率を調整しながら試行錯誤の上、その圧縮率を調整するようになっている。
【０００４】
スプリングの圧縮率を目視可能に表示する表示装置を備えたドアクローザは存在する（特許文献１参照）。
【０００５】
特許文献１に記載のドアクローザは、本体の側面に回転可能なダイヤルを備え、当該ダイヤルの回転と連動させてスプリングの圧縮率を調整するための調整ネジ部に連結されるナット状部材を回転させるようになっているととともに、当該ダイヤルの回転により相対的に移動するナット状の部材の移動量を外部から目視できるようになっている。
【０００６】
【特許文献１】特開昭６２−１８２３８１号公報
【発明の開示】
【発明が解決しようとする課題】
【０００７】
しかしながら、特許文献１に記載のドアクローザは、扉にドアクローザを取付後、誤ってダイヤルが操作されることによって、扉の開閉力が変化してしまう可能性がある。
【０００８】
また、実際問題として、ナットの移動量が少量であると明確に移動量を目視することができず、調整したスプリングの圧縮率を明確に確認できないなどの問題がある。
【０００９】
そこで、本発明は上記問題を課題の一例として為されたもので、開閉力の調整に関し、明確にスプリングの圧縮率を外部からの目視により確認できるとともに、スプリングの圧縮率が誤操作等によって変更されにくいドアクローザを提供することを目的とする。
【課題を解決するための手段】
【００１０】
上記課題を解決するために、請求項１に記載のドアクローザは、回転軸と、前記回転軸の回転に対して抵抗するスプリングと、を備えた扉に取り付けられるクローザ本体と、前記扉の開閉に伴って前記回転軸を回転させるリンク機構と、を具備するドアクローザにおいて、前記回転軸の回転に対する前記スプリングの抵抗力を調整する調整ネジ部と、前記調整ネジ部と直交する位置に配置されている操作軸を備えた操作機構部と、前記操作軸の回転に応じて前記調整ネジ部を回転させるように前記操作軸と前記調整ネジ部とを連結するための連結機構部と、前記操作軸はその軸線方向に移動可能であって、当該操作軸の移動により、前記操作軸と前記調整ネジ部との連結、及び当該連結を解除可能であることを特徴とする。
【００１１】
また、請求項２に記載のドアクローザは、請求項１に記載のドアクローザにおいて、前記操作軸の回転と連動させて前記スプリングの抵抗力を示す値を表示させる表示手段を更に備えていることを特徴とする。
【００１２】
また、請求項３に記載のドアクローザは、請求項２に記載のドアクローザにおいて、前記操作軸と前記調整ネジ部との連結が解除されている場合において、前記操作軸は固定されていることを特徴とする。
【００１３】
また、請求項４に記載のドアクローザは、請求項１乃至３のいずれか一項に記載のドアクローザにおいて、前前記連結機構部は、一対の歯車で構成されていることを特徴とする。
【発明の効果】
【００１４】
本発明によれば、誤ってスプリングの圧縮率が変更されることを防止できる。また、スプリングの圧縮率を目視により容易に確認できる。
【発明を実施するための最良の形態】
【００１５】
以下、本発明の最良の実施形態について添付図面に基づいて説明する。なお、本願のドアクローザは、一例として、一般にコンシールドドアクローザと称されるドアクローザに適用したものである。
【００１６】
−ドアクローザの構成等−
まず、図１乃至図５を参照して、本実施形態におけるドアクローザの構成について説明する。図１は本実施形態に係るドアクローザの外観図、図２はドアクローザの内部構造図、図３は回転体の構造図、図４は回転体と第３歯車の位置関係を示す図、図５は目盛近傍の横断面図である。
【００１７】
図１に示すように、ドアクローザＣは、上枠２の内側に固定設置されるベース１１と、ベース１１が有する軸体１２に対して後端が回動自在に設置されるアーム１４を含んで構成されるリンク機構部１５と、当該リンク機構部１５と回転軸１７を介して回動自在に設置されるクローザ本体２０と、を備えている。クローザ本体２０は、ドア４に固定するための本体取付板２２を備えており、当該本体取付板２２を介してドア４の内側に固定されている。
【００１８】
図２に示すように、クローザ本体２０は、略四角筒状のハウジング２１を有している。当該ハウジング２１の両端部はプラグ２３、２４によって閉塞され、当該ハウジング２１の内部には流体である油が充填されている。
【００１９】
ハウジング２１の内部には、一端が上方に突出し前記リンク機構１５と連結される回転軸１７と、ハウジング２１の内部を左右方向に往復運動するピストン２６と、ドア４が開くときに前記ピストン２６を介して回転軸１７の回転に対し抵抗力を与えるスプリング２８と、前記スプリング２８の抵抗力の大きさを調整する調整ネジ部３０と、流体によりドア４の開閉速度を制御する開閉制御機構部（図示なし）と、を備えている。ハウジング２１の内部に備えられているピストン２６とスプリング２８とは、その軸線方向に直線状に並んで配置されている。
【００２０】
ピストン２６にはラック２６ａが形成されており、回転軸１７には当該ラック２６ａと噛み合うピニオン１７ａが設けられている。そして、前記回転軸１７の回転によって当該ラック２６ａとピニオン１７ａが噛み合い、ピストン２６がハウジング２１の内部を左右方向に往復運動するようになっている。
【００２１】
ピストン２６は、ハウジング２１の内部左右を第１室２１ａと第２室２１ｂとに区分けするとともに、スプリング２８の一方の端部を支持するようになっている。なお、第１室２１ａとは、ハウジング２１内における、ピストン２６とプラグ２４との間のスペースであり、第２室２１ｂとは、ピストン２６とプラグ２３との間のスペースである。
【００２２】
ピストン２６の一端には貫通孔３５ａが形成され、他端には逆止弁３５が組み込まれている。この逆止弁３５は、ハウジング２２の第１室２１ａから第２室２１ｂへ油を通すことを許容する一方で、油が第２室２１ｂから第１室２１ａへ通ることを阻止するようになっている。また、図示しないが、第１室２１ａと第２室２１ｂとは通路を介して連絡しており、この通路には油の流れる速度を調整する速度調整弁が設けられている。そして、ドア４が開く時（ピストン２６が左側に移動する時）には、油が第１室２１ａから第２室２１ｂへ貫通孔３５ａと逆止弁３５を通って移動し、ドア４が閉まる時（ピストンが右側に移動する時）には、油が通路を通って移動するようになっている。
【００２３】
スプリング２８の他方は、ハウジング２１の内部を左右方向に移動可能なスプリング受座３６により支持されており、当該スプリング受座３６には調整ネジ３７がハウジング２１の軸線方向に沿って取り付けられている。
【００２４】
スプリング受座３６の外周には図示しないが凸部が設けられており、ハウジング２１の内周部にはスプリング受座３６の調整範囲でハウジング２１の軸線方向にスプリング受座３６の凸部と嵌合する凹溝が設けられることによってスプリング受座３６の回り止めとなっているが、スプリング受座３６が回転せずにハウジング２１の内部を左右方向に移動可能になっていればどのような構成になっていても構わない。
【００２５】
調整ネジ３７の他端は、プラグ２４を貫通して外部に突出しており、その端部には第１歯車４１が取り付けられている。第１歯車４１は調整ネジ３７と同軸上で連結され、第１歯車４１の回転に連動して調整ネジ３７が回転するようになっている。したがって、第１歯車４１の回転により調整ネジ３７が回転することで、スプリング座受３６をハウジング２１の軸線方向に移動可能になっている。この動作により、スプリング２８の圧縮率を調整可能となるため、回転軸１７の回転に対するスプリング２８の抵抗力の大きさを調整可能となっている。
【００２６】
一方、本体取付板２２には、所定の間隔を有して２つの孔部２２ａ、２２ｂが形成されている。一方の孔部２２ａは、スプリング２８の圧縮率を調整するための工具を差し込むために形成され、他方の孔部２２ｂは、スプリング２８の圧縮率の値を視認するために形成されている。
【００２７】
本体取付板２２の下端面には、軸受固定用ネジ５１によって、一方の孔部２２ａと同軸上に円筒部５２ａが形成された軸受５２が取り付けられている。当該円筒部５２ａには、上端部に、例えば、六角レンチなどの工具の形状溝が形成された頭部５３を有する歯車軸５５が配置される。歯車軸５５の端部には、第１歯車４１と噛み合うための第２歯車５７と、当該第２歯車５７の上部に重ねて配置される回転体５８と、が取り付けられている。歯車軸５５の周面と円筒部５２ａの内壁面との間には、コイルバネ５９が配置されている。コイルバネ５９は、歯車軸５５の頭部５３と、円筒部５２ａの下端部に形成された突出部とに係合させて配置されている。コイルバネ５９は、頭部５３を上方へ付勢し、当該コイルバネ５９によって歯車軸５５は、その軸線方向に移動可能になっている。また、回転体５８は、コイルバネ５９の付勢力により、軸受５２の下端面に当接しており、第２歯車５７は、第１歯車４１の上方に配置されているものの、歯車軸５５をコイルバネ５９の押圧力に抗して下方に押下げることにより、第２歯車５７は第１歯車４１と噛み合うようになっている。
【００２８】
また、図２乃至図４に示すように、第２歯車５７と回転体５８には、その軸回りに均等に複数の孔部５８ａが形成されており、軸受５２には、当該孔部５８ａに嵌合するピン５２ｂが固定して取り付けられている。そして、当該コイルバネ５９の付勢力により、回転体５８が軸受５２の下端面に当接している間は、当該ピン５２ｂが当該孔部５８ａに挿入され、当該回転体５８及び第２歯車５７が回転するのを阻止するようになっている。よって、この状態で歯車軸５５を回転させようとしても回転体５８及び第２歯車５７は回転しないため、歯車軸５５は回転できないようになっている。
【００２９】
また、図３乃至図５に示すように、回転体５８の上端面の外周端部には、外周方向に向かって突出する歯体５８ｂが立設されている。当該歯体５８ｂは、他の歯車軸６６を介して取り付けられている第３歯車６７と噛み合うようになっている。また、第３歯車６７の上部には、図５に示すように回転体７１が重ねて配置され、当該第３歯車６７と連動して回転するようになっているとともに、第３歯車６７の歯部が回転体５８の歯体５８ｂと噛み合っていない時には第３歯車６７の回転を防止している。当該他の歯車軸６６は本体取付板２２に固定して取り付けられている。
【００３０】
また、回転体７１は、本体取付板２２に形成されている他方の孔部２２ｂの下方に回転体７１の外周端部が配置されるようになっている。また、第３歯車６７の外周には、当該第３歯車６７の回転に対して抵抗するバネ６９が取り付けられている。これにより第３歯車６７はガタを生じないようになっている。
【００３１】
図５に示すように、回転体７１の上面の外周端部には、所定の目盛７３が表示されている。当該目盛７３は、歯車軸５５の回転と連動させて前記スプリング２８の抵抗力の大きさを示す値を表示するようになっている。当該第３歯車６７は、歯車軸５５が１回転するごとに１ノッチ上下方向に回転するようになっている。
【００３２】
−ドアクローザの動作−
次にドアクローザＣの動作について図６を用いて説明する。図６はドアクローザの動作例を示す内部構造図である。
【００３３】
本実施形態で示すドアクローザＣにおいて、ドア４の開閉力を調整する際には、一方の孔部２２ａに、歯車軸５５の頭部５３に形成された溝部と合致する工具Ｔを差込み、当該頭部５３を回転することによって行われる。
【００３４】
まず、工具Ｔを頭部５３の溝部に嵌め込み、コイルバネ５９に抗して下方に押し下げることで第２歯車５７及び回転体５８がピン５２ｂから解放され、回転可能となる。この状態でさらに下方に押し込むことで第２歯車５７を第１歯車４１に噛み合わせる。そして、ユーザによって工具Ｔが所定の方向に回転されることで、歯車軸５５が回転し、第２歯車５７及び第１歯車４１を介して、その回転に応じて調整ネジ部３０の調整ネジ３７が回転される。
【００３５】
この回転によりスプリング受座３６がハウジング２１の内部を左右方向に移動し、スプリング２８の圧縮率を調整可能となっている。
【００３６】
一方、歯車軸５５の回転に応じて回転体５８を介して第３歯車６７が回転し、当該第３歯車６７の上部に配置された回転体７１に記載された目盛７３により、その回転に応じたスプリング２８の圧縮率が他の孔部２２ｂを介して表示されるので、ユーザは、他の孔部２２ｂから当該スプリング２８の圧縮率を明確に確認することができる。また、当該表示された値に基づいて調整を行うことが可能となっている。
【００３７】
以上に説明したように、本実施形態のドアクローザＣは、回転軸１７と、前記回転軸１７の回転に対して抵抗するスプリング２８と、を備えた扉として機能するドア４に取り付けられるクローザ本体２０と、前記ドア４の開閉に伴って前記回転軸１７を回転させるリンク機構としてのアーム１４及びベース１１と、を具備するドアクローザＣにおいて、前記回転軸１７の回転に対する前記スプリング２８の抵抗力を調整する調整ネジ部３０と、前記調整ネジ部３０と直交する位置に配置されている操作軸として機能する歯車軸５５を備えた操作機構部と、前記歯車軸５５の回転に応じて前記調整ネジ部３０を回転させるように前記歯車軸５５と前記調整ネジ部３０とを連結するための連結機構部（コイルバネ５９、第１歯車４１、第２歯車５７）を備え、前記歯車軸５５はその軸線方向に移動可能であって、当該歯車軸５５の移動により、前記歯車軸５５と前記調整ネジ部３０との連結、及び当該連結を解除可能であるようになっている。
【００３８】
このようにすれば、誤って歯車軸５５が回転してもスプリング２８の圧縮率は変更されないため、ドア４の開閉力が変化することはない。
【００３９】
また、前記歯車軸５５の回転と連動させて前記スプリング２８の抵抗力を示す値を表示させる表示窓として機能する他の孔部２２ｂを備えている。このようにすれば、ユーザは目視によりスプリング２８の圧縮率を明確に確認することができる。
【００４０】
また、前記歯車軸５５と前記調整ネジ部３０との連結が解除されている場合において、前記歯車軸５５は固定されている。このようにすれば、歯車軸５５と前記調整ネジ部３０との連結が解除されている場合には、歯車軸５５は回転しないため、スプリング２８の抵抗力を示す値も変化せず、誤って歯車軸５５が回転して表示する値が変更されることがない。
【００４１】
なお、本実施形態は一形態であって、この形態に限定されるものではなく、例えば、本実施形態において、第１歯車４１、及び第２歯車５７は歯車を薄板により形成しているが、一般に用いられている傘歯車を適用しても構わない。また、回転体５７及び第３歯車６７に代えてゼネバ機構などを用いてもよい。
【図面の簡単な説明】
【００４２】
【図１】本実施形態に係るドアクローザの外観図である。
【図２】ドアクローザの内部構造図である。
【図３】回転体の構造図である。
【図４】回転体と第３歯車の位置関係を示す図である。
【図５】目盛近傍の横断面図である。
【図６】ドアクローザの動作例を示す内部構造図である。。
【符号の説明】
【００４３】
Ｃ  ドアクローザ
４  ドア
１７  回転軸
２０  クローザ本体
２８  スプリング
３０  調整ネジ部
４１  第１歯車
５５  歯車軸
５７  第２歯車
【図１】
2008274583.tif 000003
【図２】
2008274583.tif 000004
【図３】
2008274583.tif 000005
【図４】
2008274583.tif 000006
【図５】
2008274583.tif 000007
【図６】
2008274583.tif 000008